(57)【要約】【課題】膝蓋骨部分を露出させる孔を設けた筒形の膝用サポータにおいて、転倒時等の膝蓋骨部分の負傷と、寒冷期の膝蓋骨部分の冷えを防止できるようにすることである。【解決手段】筒形のサポータ本体１の孔２に、突出する膝蓋骨部分Ａを覆うように、天竺織りの織物とした別体の布地３を取り付け、この別体の布地３をダーツ縫い４で孔２の外側へ膨出させ、弾性糸の配合割合を多くした天竺織りのよこ糸を筒形の筒方向に沿う方向に向けて、筒形の筒方向に沿う方向に周方向に沿う方向よりも高い伸縮性を持たせた。【選択図】図２
0003157683.tif 000002
【実用新案登録請求の範囲】
【請求項１】
膝部を覆う筒形に形成され、少なくとも筒形の周方向に伸縮性を有するサポータ本体に膝蓋骨部分を露出させる孔を設け、この孔から膝蓋骨部分を突出させるようにした膝用サポータにおいて、前記サポータ本体の孔に、前記突出する膝蓋骨部分を覆う別体の布地を取り付け、この別体の布地を前記孔の外側へ立体的に膨出させ、前記筒形の筒方向に沿う方向に、筒形の周方向に沿う方向よりも高い伸縮性を持たせたことを特徴とする膝用サポータ。
【請求項２】
前記別体の布地を天竺織りの織物として、前記天竺織りのよこ糸とたて糸にそれぞれ弾性糸を配合し、前記よこ糸またはたて糸のいずれか一方の弾性糸の配合割合を他方よりも多くして、この弾性糸の配合割合を多くしたよこ糸またはたて糸を前記筒形の筒方向に沿う方向に向け、前記筒形の筒方向に沿う方向に、筒形の周方向に沿う方向よりも高い伸縮性を持たせた請求項１に記載の膝用サポータ。
【請求項３】
前記別体の布地に、前記膝蓋骨の中心部分を覆う中央部側から左右両端側へ縫い消し代を多くしたダーツ縫いを施し、前記孔の外側へ膨出させた請求項２に記載の膝用サポータ。
【請求項４】
前記別体の布地に、アルミナと酸化チタンの粉末に白金の粉末を添加した遠赤外線を放射する混合粉末を含ませた請求項１乃至３のいずれかに記載の膝用サポータ。
【考案の詳細な説明】
【技術分野】
【０００１】
本考案は、膝部を保護する筒状の膝用サポータに関する。
【背景技術】
【０００２】
膝部を覆うように保護する膝用サポータには、筒形に形成され、少なくとも筒形の周方向に伸縮性を持たせて、膝部を周囲から締付けるようにしたものが多く用いられている。通常、筒形の膝用サポータは、弾性糸を編み込んだ丸編で形成されている。
【０００３】
このような筒形の膝用サポータには、膝蓋骨部分を露出させる孔を設け、この孔から膝蓋骨部分を突出させることにより、膝部への密着性を高めてずり落ちを防止するとともに、膝関節の屈曲が窮屈にならないようにしたものがある（例えば、特許文献１、２参照）。
【先行技術文献】
【特許文献】
【０００４】
【特許文献１】特開昭６３−５１８５５号公報
【特許文献２】特開平１０−１２７６７５号公報
【考案の概要】
【考案が解決しようとする課題】
【０００５】
特許文献１、２に記載されたように、膝蓋骨部分を露出させる孔を設けた筒形の膝用サポータは、着用者が転倒したときや膝を障害物に当てたときに、孔から突出する膝蓋骨部分を負傷しやすい問題がある。また、寒冷期に膝蓋骨部分が冷えやすく、膝関節等に疾病を持つ着用者は、疾病を悪化させる恐れもある。
【０００６】
そこで、本考案の課題は、膝蓋骨部分を露出させる孔を設けた筒形の膝用サポータにおいて、転倒時等の膝蓋骨部分の負傷と、寒冷期の膝蓋骨部分の冷えを防止できるようにすることである。
【課題を解決するための手段】
【０００７】
上記の課題を解決するために、本考案は、膝部を覆う筒形に形成され、少なくとも筒形の周方向に伸縮性を有するサポータ本体に膝蓋骨部分を露出させる孔を設け、この孔から膝蓋骨部分を突出させるようにした膝用サポータにおいて、前記サポータ本体の孔に、前記突出する膝蓋骨部分を覆う別体の布地を取り付け、この別体の布地を前記孔の外側へ立体的に膨出させ、前記筒形の筒方向に沿う方向に、筒形の周方向に沿う方向よりも高い伸縮性を持たせた構成を採用することにより、転倒時等の膝蓋骨部分の負傷と、寒冷期の膝蓋骨部分の冷えを防止できるようにした。
【０００８】
前記別体の布地を孔の外側へ立体的に膨出させたのは、孔から突出する膝蓋骨部分を楽に収納するためであり、筒形の筒方向に沿う方向の伸縮性を、筒形の周方向に沿う方向よりも高くしたのは、膝関節を屈曲するときに筒方向に沿う方向に大きく伸縮させ、膝関節の屈曲が窮屈にならないようにするためである。
【０００９】
前記別体の布地を天竺織りの織物として、前記天竺織りのよこ糸とたて糸にそれぞれ弾性糸を配合し、前記よこ糸またはたて糸のいずれか一方の弾性糸の配合割合を他方よりも多くして、この弾性糸の配合割合を多くしたよこ糸またはたて糸を前記筒形の筒方向に沿う方向に向け、前記筒形の筒方向に沿う方向に、筒形の周方向に沿う方向よりも高い伸縮性を持たせることができる。
【００１０】
前記別体の布地に、前記膝蓋骨の中心部分を覆う中央部側から左右両端側へ縫い消し代を多くしたダーツ縫いを施し、前記孔の外側へ膨出させることにより、天竺織りの平織物とした別体の布地を、容易に孔の外側へ膨出させることができる。
【００１１】
前記別体の布地に、アルミナと酸化チタンの粉末に白金の粉末を添加した遠赤外線を放射する混合粉末を含ませることにより、混合粉末から放射される遠赤外線を膝蓋骨部分に照射し、膝蓋骨部分の冷えを防止するとともに、膝関節の治療に役立てることができる。
【考案の効果】
【００１２】
本考案の膝用サポータは、筒形のサポータ本体の孔に、突出する膝蓋骨部分を覆う別体の布地を取り付け、この別体の布地を孔の外側へ膨出させ、筒形の筒方向に沿う方向に、筒形の周方向に沿う方向よりも高い伸縮性を持たせたので、転倒時等の膝蓋骨部分の負傷と、寒冷期の膝蓋骨部分の冷えを防止することができる。
【図面の簡単な説明】
【００１３】
【図１】膝用サポータの実施形態を示す外観斜視図
【図２】図１の膝用サポータを膝部に装着した状態を示す縦断面図
【図３】（ａ）は図１の布地部分を示す正面図、（ｂ）は（ａ）のIIIb−IIIb線に沿った断面図、（ｃ）は（ａ）のIIIc−IIIc線に沿った断面図
【図４】図１の布地の織り目を示す平面図
【図５】図２で膝関節を屈曲させた状態を示す縦断面図
【考案を実施するための形態】
【００１４】
以下、図面に基づき、本考案の実施形態を説明する。この膝用サポータは、図１および図２に示すように、膝部を覆うように筒形に形成され、少なくとも筒形の周方向に伸縮性を有するサポータ本体１に、膝蓋骨部分Ａを露出させる孔２を設け、この孔２の周縁に、突出する膝蓋骨部分Ａを覆う別体の布地３を内側から縫い付けたものである。この実施形態では、サポータ本体１は弾性糸と非弾性糸を用いて丸編の成型編みで形成され、筒形の筒方向にも伸縮性を有する。
【００１５】
図３（ａ）、（ｂ）、（ｃ）に示すように、前記布地３は、膝蓋骨の中心部分を覆う中央部側から左右両端側へ縫い消し代４ａを多くしたダーツ縫い４が施され、孔２の外側へ立体的に膨出するようになっている。縫い消し代４ａは布地３の裏側に形成されている。したがって、図２に二点鎖線で示したように、孔２から突出する膝蓋骨部分Ａを楽に収納することができる。
【００１６】
図４に示すように、前記布地３は天竺織りの織物で形成され、そのよこ糸５とたて糸６は、それぞれポリエステルの非弾性糸５ａ、６ａと、ポリウレタンの弾性糸５ｂ、６ｂとからなる。図示は省略するが、各非弾性糸５ａ、６ａは、アルミナと酸化チタンの粉末に白金の粉末を添加した遠赤外線を放射する混合粉末を含んでいる。したがって、混合粉末から放射される遠赤外線が膝蓋骨部分Ａに照射され、膝蓋骨部分Ａの冷えを防止できるとともに、膝関節の治療に役立てることができる。この実施形態では、サポータ本体１を編成する非弾性糸も、アルミナと酸化チタンの粉末に白金の粉末を添加した遠赤外線を放射する混合粉末を含んでいる。
【００１７】
前記よこ糸５の弾性糸５ｂの配合割合は約２０％、たて糸６の弾性糸６ｂの配合割合は約１０％とされ、よこ糸５の弾性糸５ｂの配合割合がたて糸６よりも多くなっている。布地３は、弾性糸５ｂの配合割合が多いよこ糸５を筒形の筒方向に沿わせる方向に向けて、孔２の周縁に縫い付けられる。したがって、図５に示すように、膝関節を屈曲するときに、布地３は筒方向に沿う方向に大きく伸縮し、膝関節の屈曲が窮屈になることはない。
【符号の説明】
【００１８】
Ａ  膝蓋骨部分
１  サポータ本体
２  孔
３  布地
４  ダーツ縫い
４ａ  縫い消し代
５  よこ糸
６  たて糸
５ａ、６ａ  非弾性糸
５ｂ、６ｂ  弾性糸
【図１】
0003157683.tif 000003
【図２】
0003157683.tif 000004
【図３】
0003157683.tif 000005
【図４】
0003157683.tif 000006
【図５】
0003157683.tif 000007